(57)【要約】【課題】通常の交流電源から電力供給するＬＥＤ光源とは別に、蓄電部より電力供給する数個のＬＥＤを使用した小型のＬＥＤによる光源を別途備えることにより長時間の使用に対応すると共に、小型であるためＬＥＤ電球の中に内蔵することを可能とし、電球切り換えなどによる家庭設備の改造といった問題も解決する。【解決手段】交流電源部１は、定電流電源回路２を介して第１ＬＥＤ光源部３と、定電流電源回路２から点灯制御部７を介して電流制限抵抗５ａから蓄電部４に接続されている。また、点灯制御部７は、停電時など、リモートコントローラ８からの赤外線制御信号の受信によって蓄電部４の出力端が電流制限抵抗５ａを介して第２ＬＥＤ光源部６に接続されるように切り換える。【選択図】図１
2011119136.tif 000002
【特許請求の範囲】
【請求項１】
交流電源から供給される電力によって点灯を行う第１ＬＥＤ光源部と、前記交流電源から供給される電力により充電される蓄電部と、該蓄電部から供給される電力によって点灯を行う第２ＬＥＤ光源部と、該蓄電部への充電と該第２ＬＥＤ光源部の点灯を切り換える点灯制御手段とを有し、該第２ＬＥＤ光源部は該第１ＬＥＤ光源部よりも使用電流量が小さいＬＥＤ照明装置。
【請求項２】
前記交流電源からの電力供給停止時に、前記点灯制御手段により前記蓄電部への充電から前記第２ＬＥＤ光源部の点灯に切り換える請求項１に記載のＬＥＤ照明装置。
【請求項３】
前記交流電源からの電力供給が停止して前記第１ＬＥＤ光源部が消灯するときに、前記第２ＬＥＤ光源部を、前記蓄電部に蓄えられた電力により補助的に点灯する非常時点灯手段とする請求項１または２に記載のＬＥＤ照明装置。
【請求項４】
前記第１ＬＥＤ光源部は、直列接続された複数段のＬＥＤで構成されて、前記第２ＬＥＤ光源部の接続段数よりも多い請求項１または２のＬＥＤ照明装置。
【請求項５】
前記第２ＬＥＤ光源部は、直列接続された複数段のＬＥＤで構成されて、前記第１ＬＥＤ光源部の接続段数よりも少ない請求項１または２に記載のＬＥＤ照明装置。
【請求項６】
前記点灯制御手段は、無線によるリモートコントローラからの制御信号を受けて前記第２ＬＥＤ光源部を点灯制御する請求項１または２に記載のＬＥＤ照明装置。
【請求項７】
前記点灯制御手段は、無線によるリモートコントローラからの制御信号を受信する信号受信手段と、該信号受信手段で受信した制御信号に基づいて、前記蓄電部への充電と前記第２ＬＥＤ光源部の点灯を切り換える切り換え手段とを有した請求項１または６に記載のＬＥＤ照明装置。
【請求項８】
前記第１ＬＥＤ光源部および前記蓄電部は、前記交流電源から定電流回路を介して電力供給される請求項１に記載のＬＥＤ照明装置。
【請求項９】
前記蓄電部、電流制限抵抗が接続された前記第２ＬＥＤ光源部および前記点灯制御部をＬＥＤ電球として着脱自在に構成された請求項１または２に記載のＬＥＤ照明装置。
【請求項１０】
前記蓄電部、電流制限抵抗が接続された前記第２ＬＥＤ光源部、前記点灯制御部および前記第１ＬＥＤ光源部をＬＥＤ電球として着脱自在に構成された請求項１または２に記載のＬＥＤ照明装置。
【発明の詳細な説明】
【技術分野】
【０００１】
本発明は、家庭で使用される室内照明装置に関し、特に、停電発生時の非常用照明として蓄電池により照明を補う非常用のＬＥＤ（Ｌｉｇｈｔ  Ｅｍｉｔｔｉｎｇ  Ｄｉｏｄｅ：発光ダイオード）照明装置に関する。
【背景技術】
【０００２】
この種の一般家庭で用いる従来の照明装置としては、白熱電球やハロゲン電球などが照明光源として多く使用されている。また、近年では科学技術の発展に伴い、ＬＥＤ（Ｌｉｇｈｔ  Ｅｍｉｔｔｉｎｇ  Ｄｉｏｄｅ：発光ダイオード）が、白熱電球やハロゲン電球などの光源から切り替わりつつある。これは、ＬＥＤを使用することで、従来の光源と比べて、長寿命・省エネ・環境保護といった利点が生まれるためである。
【０００３】
しかしながら、非常用照明という観点から考えたとき、従来の光源からＬＥＤに切り替わった場合でも、停電が発生した場合は、別途携帯用の照明装置を備えておく必要があり、仮に上記対策を行なっていない家庭では、夜間停電時の避難が必要な非常発生時を考えた時、照明が無いかまたは、携帯照明装置の場所を見失うといったなどという問題が発生すると、避難が困難になる問題があった。
【０００４】
そこで、特許文献１では、照明装置に電力を供給する電源として、交流電源と二次電池を備え、停電時に交流電源からの電力供給が絶たれた場合に、停電検出回路により停電発生を判別し、二次電池からの電力供給に切り換えて停電時の照明を確保する技術を開示している。
【０００５】
図３は、特許文献１に開示されている従来の非常用照明システムの要部構成例を示すブロック図である。
【０００６】
図３に示すように、従来の非常用照明システム１００は、商用電源からなる交流電源１０１に接続された電源装置１０２と、それぞれ電源装置１０２からの電力供給により光源を点灯させる複数台（ここでは２台）の照明器具１０３Ａ，１０３Ｂとを備えている。この複数台の照明器具１０３Ａ，１０３Ｂは電源装置１０２の出力端間において直列に接続されている。ここで、照明器具１０３Ａ，１０３Ｂはいずれも図４に示すように導光板式の誘導灯を構成するものである。
【０００７】
電源装置１０２には、交流電源１０１の出力を所定の直流電圧に変換する電源回路１０５と、電源回路１０５の出力電圧を入力とし、直流の一定電流を出力する定電流回路１０６と、交流電源１０１の状態を検出して、通電状態（以下、定常時という）では、定電流回路１０６の出力に接続されたスイッチ素子１０７をオンし、停電状態（以下、非常時という）では、スイッチ素子１０７をオフするように制御する停電検出回路１０４とを備えている。
【０００８】
ただし、電源回路１０５と定電流回路１０６とを合わせて定電流回路としてもよい。また、停電検出回路１０４は、定常時において交流電源１０１の出力電圧が第１の規定値を下回ると停電状態を検出し、一方、非常時において交流電源１０１の出力電圧が第２の規定値を超えると通電状態（復電）を検出する。
【０００９】
ここで、第１および第２の規定値は、ＪＩＬ（社団法人日本照明器具工業会規格）で誘導灯器具について規定されている範囲内に設定され、少なくとも第２の規定値は第１の規定値よりも大きく設定される。なお、定電流回路１０６は、直流電流を数十〜数百Ｈｚ程度の低周波数でオンオフした所謂パルス電流を出力する構成としてもよい。
【００１０】
各照明器具１０３Ａ，１０３Ｂは、光源としての発光ダイオード（ＬＥＤ）１０８と、非常用電源となる二次電池１０９と、第１〜第３のスイッチ素子１１１，１１２および１１３と、各スイッチ素子１１１，１１２および１１３を制御し、スイッチ素子１１１，１１２および１１３と共に切替手段を構成するスイッチ制御部１１０と、限流回路１１４とをそれぞれ有する。
【００１１】
第１〜第３の各スイッチ素子１１１，１１２および１１３は、いずれもａ接点（図中ａで示す）およびｂ接点（図中ｂで示す）に共通接点を択一的に接続する単極双投形のスイッチからなり、スイッチ制御部１１０への電流供給時にａ接点側がオンとなる。各照明器具１０３Ａ，１０３Ｂにおける高電位側の電源入力端は、各々のスイッチ制御部１１０を介して第１のスイッチ素子の共通接点に接続され、低電位側の電源入力端は、各々の第３のスイッチのａ接点に接続されている。
【００１２】
ここで、各照明器具１０３Ａ，１０３Ｂは、第１のスイッチ素子１１１および第２のスイッチ素子１１２の両ａ接点間に、第１のスイッチ素子１１１のａ接点側をアノードとするように発光ダイオード１０８が２個直列に接続されるとともに、第２のスイッチ素子１１２および第３のスイッチ素子１１３の両共通接点間に、第２のスイッチ素子１１２の共通接点側を正極とするように二次電池１０９が接続され、また、第１のスイッチ素子１１１のａ接点と第２のスイッチ素子１１２のｂ接点との間に限流回路１１４が接続された構成を有する。さらに、第１のスイッチ素子１１１のｂ接点と第３のスイッチ素子１１３のａ接点とは互いに接続され、第２のスイッチ１１２のａ接点と第３のスイッチ素子１１３のｂ接点とは互いに接続されている。
【００１３】
上記構成により、交流電源１０１が通電状態にある定常時においては、電源装置１０２より所定の電流が出力され、各照明器具１０３Ａ，１０３Ｂ内の第１〜第３のスイッチ素子１１１〜１１３はそれぞれのスイッチ制御部１１０によって全てａ接点側がオンになる。これにより、各照明器具１０３Ａ，１０３Ｂ内の発光ダイオード１０８および二次電池１０９はそれぞれ電源入力端間において直列に接続されることとなり、したがって、電源装置１０２からの出力によって発光ダイオード１０８を点灯させつつ、二次電池１０９を充電することが可能となる。なお、二次電池１０９は微弱な電流を継続的に流すトリクル充電によって充電されるため、二次電池１０９が満充電状態となることで発光ダイオード１０８に電流が流れなくなることはない。
【００１４】
一方、交流電源１０１が停電状態にある非常時においては、電源装置１０２内の停電検出回路１０４によりスイッチ素子１０７はオフとなり、これにより、電源装置１０２は出力を停止する。このとき、各照明器具１０３Ａ，１０３Ｂ内のスイッチ制御部１１０により、第１〜第３の各スイッチ素子１１１，１１２および１１３はｂ接点側に切り替えられる。この動作により、各照明器具１０３Ａ，１０３Ｂ内では、二次電池１０９と限流回路１１４と発光ダイオード１０８とが、第２および第３のスイッチ素子１１２，１１３を介してそれぞれ閉ループ回路を形成し、この閉ループ回路が第１および第３のスイッチ素子１１１および１１３によって電源入力端から切り離されることになり、したがって、二次電池１０９に充電された電力を使用して発光ダイオード１０８が点灯する。ここで、限流回路１１４は発光ダイオード１０８に流れる電流を調整する。
【００１５】
さらに、交流電源１０１が復電すると、電源装置１０２内のスイッチ素子１０７は再びオン状態となり、電源装置１０２は照明器具１０３Ａ，１０３Ｂに電流供給を再開する。この動作により、照明器具１０３Ａ，１０３Ｂ内のスイッチ制御部１１０は、第１〜第３の各スイッチ素子１１１，１１２および１１３をａ接点側に切り替え、上記定常時と同様に、電源装置１０２の出力によって発光ダイオード１０８を点灯させつつ、二次電池１０９を充電することが可能になる。
【００１６】
したがって、非常用照明システム１００によれば、光源として発光ダイオード１０８を用いたことにより、発光ダイオード１０８を具備する照明器具１０３Ａ，１０３Ｂの器具本体から離れた位置に電源装置１０２を配置することが可能であるため、照明器具１０３Ａ，１０３Ｂの小型化（薄型化）を図ることができる。しかも、非常時に発光ダイオード１０８を点灯させる非常用電源となる二次電池１０９は、各照明器具１０３Ａ，１０３Ｂの器具本体にそれぞれ設けられているため、非常時において各照明器具１０３Ａ，１０３Ｂの発光ダイオード１０８への電力供給を保障できる容量を持つものであればよく、したがって、電源装置１０２に接続される照明器具１０３Ａ，１０３Ｂの台数にかかわらず二次電池１０９の容量を決定することができる。即ち、建物のレイアウト変更などに伴い照明器具１０３Ａ，１０３Ｂの台数が増減することがあっても、二次電池１０９の容量を変更する必要はない。
【先行技術文献】
【特許文献】
【００１７】
【特許文献１】特開２００９−１５８２１４号
【発明の概要】
【発明が解決しようとする課題】
【００１８】
しかしながら、特許文献１に開示されている従来の非常用照明システム１００では、一般家庭での使用を考えた場合に、一時的避難用の短期間の照明の確保には問題ないが、ある程度の長時間使用を考えた場合、二次電池の使用時も同じＬＥＤ光源を使用するため、消費電流を交流時と同じだけ供給する必要がある。このため、二次電池の容量を大きくする必要があり、しかも、従来の通常時に用いたＬＥＤ光源から非常時に用いるＬＥＤ光源に光源を切り換えるといった場合には、使用する適正電流量の違いや停電検出回路１０４などによって家庭設備の改造が必要になるという問題は解決できていない。
【００１９】
本発明は、上記従来の問題を解決するもので、通常の交流電源から電力供給するＬＥＤ光源とは別に、蓄電部より電力供給する数個のＬＥＤを使用した小型のＬＥＤによる光源を別途備えることにより、長時間の使用に対応すると共に、小型であるためＬＥＤ電球の中に内蔵することを可能とし、電球切り換えなどによる家庭設備の改造といった問題も解決することができるＬＥＤ照明装置を提供することを目的とする。
【課題を解決するための手段】
【００２０】
本発明のＬＥＤ照明装置は、交流電源から供給される電力によって点灯を行う第１ＬＥＤ光源部と、前記交流電源から供給される電力により充電される蓄電部と、該蓄電部から供給される電力によって点灯を行う第２ＬＥＤ光源部と、該蓄電部への充電と該第２ＬＥＤ光源部の点灯を切り換える点灯制御手段とを有し、該第２ＬＥＤ光源部は該第１ＬＥＤ光源部よりも使用電流量が小さいものであり、そのことにより上記目的が達成される。
【００２１】
また、好ましくは、本発明のＬＥＤ照明装置における交流電源からの電力供給停止時に、前記点灯制御手段により前記蓄電部への充電から前記第２ＬＥＤ光源部の点灯に切り換える。
【００２２】
さらに、好ましくは、本発明のＬＥＤ照明装置において、前記交流電源からの電力供給が停止して前記第１ＬＥＤ光源部が消灯するときに、前記第２ＬＥＤ光源部を、前記蓄電部に蓄えられた電力により補助的に点灯する非常時点灯手段とする。
【００２３】
さらに、好ましくは、本発明のＬＥＤ照明装置における第１ＬＥＤ光源部は、直列接続された複数段のＬＥＤで構成されて、前記第２ＬＥＤ光源部の接続段数よりも多い。
【００２４】
さらに、好ましくは、本発明のＬＥＤ照明装置における第２ＬＥＤ光源部は、直列接続された複数段のＬＥＤで構成されて、前記第１ＬＥＤ光源部の接続段数よりも少ない。
【００２５】
さらに、好ましくは、本発明のＬＥＤ照明装置における点灯制御手段は、無線によるリモートコントローラからの制御信号を受けて前記第２ＬＥＤ光源部を点灯制御する。
【００２６】
さらに、好ましくは、本発明のＬＥＤ照明装置における点灯制御手段は、無線によるリモートコントローラからの制御信号を受信する信号受信手段と、該信号受信手段で受信した制御信号に基づいて、前記蓄電部への充電と前記第２ＬＥＤ光源部の点灯を切り換える切り換え手段とを有する。
【００２７】
さらに、好ましくは、本発明のＬＥＤ照明装置において、前記第１ＬＥＤ光源部および前記蓄電部は、前記交流電源から定電流回路を介して電力供給される。
【００２８】
さらに、好ましくは、本発明のＬＥＤ照明装置において、前記蓄電部、電流制限抵抗が接続された前記第２ＬＥＤ光源部および前記点灯制御部をＬＥＤ電球として着脱自在に構成されている。
【００２９】
さらに、好ましくは、本発明のＬＥＤ照明装置において、前記蓄電部、電流制限抵抗が接続された前記第２ＬＥＤ光源部、前記点灯制御部および前記第１ＬＥＤ光源部をＬＥＤ電球として着脱自在に構成されている。
【００３０】
上記構成により、以下、本発明の作用を説明する。
【００３１】
本発明においては、交流電源から供給される電力によって点灯を行う第１ＬＥＤ光源部と、交流電源から供給される電力により充電される蓄電部と、蓄電部から供給される電力によって点灯を行う第２ＬＥＤ光源部と、蓄電部への充電と第２ＬＥＤ光源部の点灯を切り換える点灯制御手段とを有し、第２ＬＥＤ光源部は第１ＬＥＤ光源部よりも小型に構成されている。
【００３２】
これによって、通常の交流電源から電力供給するＬＥＤ光源とは別に、蓄電部より電力供給する数個のＬＥＤを使用した小型のＬＥＤによる光源を別途備えることにより、蓄電部からの電力で長時間の使用に対応すると共に、小型であるためＬＥＤ電球の中に内蔵することが容易になり、電球切り換えなどによる家庭設備の改造といった問題も解決することが可能となる。
【００３３】
また、蓄電部よりのＬＥＤ照明の点灯手段としてリモートコントローラを使用することにより、照明スイッチＯＮ／ＯＦＦによる電力遮断と停電を判別する停電検出回路を必要とせず、家庭の電力設備の改造を必要としないという長所を持つ。
【００３４】
さらに、光源が従来のハロゲン電球や白熱電球などに限らずＬＥＤ光源であれば、長寿命・省エネ・環境保護などの長所を生かすことが可能となる。即ち、停電時に補助的に使用する光源が小型のＬＥＤ光源であれば、従来の大型のＬＥＤ光源、まして、従来のＬＥＤ光源以外のハロゲン電球や白熱電球など光源に比べて小型化と省エネを可能とし、より長い時間点灯させることが可能となる。
【００３５】
さらに、点灯制御手段にリモートコントローラの赤外線受信手段を備えることにより、従来のように照明スイッチＯＮ／ＯＦＦによる電力遮断と停電を判別する停電検出回路を必要とせず、家庭の電力設備の改造を必要としない。
【発明の効果】
【００３６】
以上により、本発明によれば、通常の交流電源から電力供給するＬＥＤ光源とは別に、蓄電部より電力供給する数個のＬＥＤを使用した小型のＬＥＤによる光源を別途備えたため、蓄電部からの電力で長時間の使用に対応すると共に、小型であるためＬＥＤ電球の中に内蔵することが容易になり、電球切り換えなどによる家庭設備の改造といった問題も解決することができる。
【００３７】
また、蓄電部よりのＬＥＤ照明の点灯手段としてリモートコントローラを使用することにより、照明スイッチＯＮ／ＯＦＦによる電力遮断と停電を判別する停電検出回路を必要とせず、家庭の電力設備の改造を必要としないという長所を持つ。
【００３８】
さらに、光源が従来のハロゲン電球や白熱電球などに限らずＬＥＤ光源であれば、長寿命・省エネ・環境保護などの長所を生かすことができる。即ち、停電時に補助的に使用する光源が小型のＬＥＤ光源であれば、従来の大型のＬＥＤ光源、まして、従来のＬＥＤ光源以外のハロゲン電球や白熱電球などの光源に比べて小型化と省エネを実現でき、より長い時間点灯させることができる。
【００３９】
さらに、点灯制御手段にリモートコントローラの赤外線受信手段を備えることにより、従来のように照明スイッチＯＮ／ＯＦＦによる電力遮断と停電を判別する停電検出回路を必要とせず、停電検出回路を設けないことによって、家庭の電力設備の改造を回避することができる。
【図面の簡単な説明】
【００４０】
【図１】本発明の実施形態１におけるＬＥＤ照明装置の要部構成例を示すブロック図である。
【図２】図１のＬＥＤ照明装置の具体例を示す回路図である。
【図３】特許文献１に開示されている従来の非常用照明システムの要部構成例を示すブロック図である。
【図４】図３の電源装置のブロック図と共に、照明器具である導光板式誘導灯を示す概観図である。
【発明を実施するための形態】
【００４１】
以下に、本発明のＬＥＤ照明装置の実施形態１について図面を参照しながら詳細に説明する。
【００４２】
（実施形態１）
図１は、本発明の実施形態１におけるＬＥＤ照明装置の要部構成例を示すブロック図である。
【００４３】
図１において、本実施形態１のＬＥＤ（Ｌｉｇｈｔ  Ｅｍｉｔｔｉｎｇ  Ｄｉｏｄｅ：発光ダイオード）照明装置１０は、商用交流電源である交流電源部１と、交流電源部１から電力供給を受けて定電流を供給する定電流回路２と、定電流回路２から供給される電力によって点灯を行う第１ＬＥＤ光源部３と、定電流回路２から供給される電力により充電される蓄電部４と、電流を制限するための電流制限部５と、蓄電部４から供給される電力によって点灯を行う第２ＬＥＤ光源部６と、蓄電部４への充電と第２ＬＥＤ光源部６の点灯を切り換える点灯制御手段としての点灯制御部７と、点灯制御部７を切り換え制御するためのリモートコントローラ８とを有している。
【００４４】
第１ＬＥＤ光源部３は、商用交流電源である交流電源部１からの電力を定電流回路２で受けて、定電流回路２からの直流電流により点灯する。また、第２ＬＥＤ光源部６は、交流電源部１からの電力供給が停止して第１ＬＥＤ光源部３が消灯したときに、蓄電部４に蓄えられた電力（直流電流）により補助的に点灯する非常時点灯手段として働く。第１ＬＥＤ光源部３は、直列接続された複数段（ここでは例えば１０〜２０段程度）のＬＥＤで構成されて、第２ＬＥＤ光源部６の接続段数（ここでは例えば２，３段）よりも多く、大型（使用される電流量が多い）である。また逆に、第２ＬＥＤ光源部６は、直列接続された複数段（ここでは例えば２，３段）のＬＥＤで構成されて、第１ＬＥＤ光源部３の接続段数（ここでは例えば１０〜２０段程度）よりも少なく、小型（使用される電流量が少ない）である。
【００４５】
蓄電部４は、通常時に交流電源部１からの電力を定電流回路２で受けて、定電流回路２からの直流電流により充電が行われ、停電など交流電源部１からの電力供給ができない非常時に、点灯制御部７が、蓄電部４への充電から第２ＬＥＤ光源部６の点灯に切り換えた場合に、蓄電部４から電流制限部３を通して第２ＬＥＤ光源部６に効率よく直流の電力供給を行う。
【００４６】
点灯制御部７は、リモートコントローラ８から赤外線制御信号（または制御信号）を受信する赤外線受信手段７ａと、赤外線受信手段７ａで受信した赤外線制御信号（または制御信号）に基づいて、蓄電部４に対して定電流回路２から電力供給を行う充電と第２光源部６の点灯を切り換える切り換え手段２ｂとを有しており、通常時には、交流電源部１から定電流回路２を介して蓄電部４への充電を行ない、停電などの非常時（交流電源からの電力供給停止時の一例）には、蓄電部４からの電力供給により第２ＬＥＤ光源部６を点灯させる非常時点灯手段への切り替えを行うものである。
【００４７】
図２は、図１のＬＥＤ照明装置１０の具体例を示す回路図である。
【００４８】
図２に示すように、商用交流電源である交流電源部１の電力供給一方端は、定電流回路２を介して、点灯制御部７の赤外線受信手段７ａおよび切り換え手段７ｂに接続されて点灯制御部７に電力供給される。電力供給を受ける定電流回路２の一方出力端は、大型の第１ＬＥＤ光源部３の一方端に接続されて第１ＬＥＤ光源部３が電力供給を受け、第１ＬＥＤ光源部３の他方端は交流電源部１の電力供給他方端に接続されている。
【００４９】
点灯制御部７の切り換え手段７ｂの切り換え端子ａは、定電流回路２の一方出力端に接続され、切り換え手段７ｂの切り換え端子ｂは、電流制限部５としての電流制限抵抗５ａを介して蓄電部４の電力供給用の一方端に接続され、蓄電部４の他方端は交流電源部１の電力供給他方端に接続されている。また、その切り換え手段７ｂの切り換え端子ｃは、小型の第２ＬＥＤ光源部６を介して交流電源部１の電力供給他方端に接続されている。
【００５０】
通常時には、切り換え手段７ｂの切り換え端子ａと切り換え端子ｂとが接続されて、定電流回路２の電力が電流制限抵抗５ａを介して蓄電部４に電力供給されて充電される。また、停電などの非常時には、切り換え手段７ｂの切り換え端子ｂと切り換え端子ｃとが接続されて、蓄電部４からの電力が電流制限抵抗５ａを介して第２ＬＥＤ光源部６に供給されて第２ＬＥＤ光源部６が点灯するようになっている。
【００５１】
このように、交流電源部１は、定電流電源回路２を介して第１ＬＥＤ光源部３と、定電流電源回路２から点灯制御部７を介して電流制限抵抗５ａから蓄電部４に接続されている。また、点灯制御部７は、停電時など、リモートコントローラ８からの赤外線制御信号の受信によって蓄電部４の出力端が電流制限抵抗５ａを介して第２ＬＥＤ光源部６に接続されるように切り換える。
【００５２】
また、本実施形態１では、点灯制御部７と、電流制限抵抗５ａ、蓄電部４および第２ＬＥＤ光源部６については、１ユニットとして、ＬＥＤ照明装置１０から取外すと共に、ＬＥＤ照明装置１０に取り付け自在に構成し、その結果、ＬＥＤ照明装置１０の本体から取り外して、携帯用懐中電灯のような携帯用のＬＥＤ照明装置１０Ａとして使用することもできる。要するに、口金内に、点灯制御部７と、電流制限抵抗５ａ、蓄電部４および第２ＬＥＤ光源部６の回路を接続したＬＥＤ電球としてＬＥＤ照明装置１０Ａをユニット構成すれば、ＬＥＤ照明装置１０に対して容易に着脱自在に取り扱うことができる。
【００５３】
さらに、光源にＬＥＤ電球を使用することにより、小型化が図られ、従来のハロゲン電球からＬＥＤ電球に交換するだけで、停電などの非常時光源を備えたＬＥＤ照明装置１０を得ることができ、かつ、停電などの非常時用に、別途、携帯用のＬＥＤ照明装置１０Ａを身近に常に用意しておく必要がなくなる。要するに、口金内に、点灯制御部７、電流制限抵抗５ａ、蓄電部４および第２ＬＥＤ光源部６の回路を接続すると共に、第１ＬＥＤ光源部３の回路を接続したＬＥＤ電球としてＬＥＤ照明装置１０を構成すれば、ＬＥＤ電球を従来のハロゲン電球の代わりに容易に着脱自在に取り扱うことができる。
【００５４】
以上により、本実施形態１によれば、通常の交流電源部１から定電流電源回路２を介して電力供給する第１ＬＥＤ光源部３とは別に、蓄電部４より電力供給する数個のＬＥＤを使用した小型の第２ＬＥＤ光源部６を別途備えることにより、長時間の使用に対応すると共に、小型であるためＬＥＤ電球の中に内蔵することを可能となり、電球切り換えなどによる家庭設備の改造といった問題も解決することができる。
【００５５】
また、蓄電部４よりのＬＥＤ照明の点灯手段としてリモートコントローラ８を使用することにより、照明スイッチＯＮ／ＯＦＦによる電力遮断と停電を判別する停電検出回路を別途必要とせず、家庭の電力設備の改造を必要としないという長所を伴う。
【００５６】
なお、本実施形態１では、点灯制御部７は、リモートコントローラ８から赤外線制御信号を受信し、赤外線制御信号に基づいて、蓄電部４に対して定電流回路２から電力供給を行う充電から、第２光源部６の点灯に切り換えるように構成したが、これとは別にまたはこれと共に、手動スイッチにより蓄電部４の充電と第２光源部６の点灯とを切り替えるようにしてもよい。
【００５７】
以上のように、本発明の好ましい実施形態１を用いて本発明を例示してきたが、本発明は、この実施形態１に限定して解釈されるべきものではない。本発明は、特許請求の範囲によってのみその範囲が解釈されるべきであることが理解される。当業者は、本発明の具体的な好ましい実施形態１の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００５８】
本発明は、家庭などで使用される室内ＬＥＤ（Ｌｉｇｈｔ  Ｅｍｉｔｔｉｎｇ  Ｄｉｏｄｅ：発光ダイオード）照明装置に関し、特に、停電発生時の非常用照明として蓄電池により照明を補う非常用のＬＥＤ照明装置の分野において、通常の交流電源から電力供給するＬＥＤ光源とは別に、蓄電部より電力供給する数個のＬＥＤを使用した小型のＬＥＤによる光源を別途備えることにより長時間の使用に対応すると共に、小型であるためＬＥＤ電球の中に内蔵することを可能とし、電球切り換えなどによる家庭設備の改造といった問題も解決することができる。
【００５９】
また、蓄電部よりのＬＥＤ照明の点灯手段としてリモートコントローラを使用することにより、照明スイッチＯＮ／ＯＦＦによる電力遮断と停電を判別する停電検出回路を必要とせず、家庭の電力設備の改造を必要としないという長所を持つ。
【００６０】
さらに、光源が従来のハロゲン電球や白熱電球などに限らずＬＥＤ光源であれば、長寿命・省エネ・環境保護などの長所を生かすことができる。即ち、停電時に補助的に使用する光源が小型のＬＥＤ光源であれば、従来の大型のＬＥＤ光源、まして、従来のＬＥＤ光源以外のハロゲン電球や白熱電球などの光源に比べて小型化と省エネを実現でき、より長い時間点灯させることができる。
【００６１】
さらに、点灯制御手段にリモートコントローラの赤外線受信手段を備えることにより、従来のように照明スイッチＯＮ／ＯＦＦによる電力遮断と停電を判別する停電検出回路を必要とせず、停電検出回路を設けないことによって、家庭の電力設備の改造を回避することができる。
【符号の説明】
【００６２】
１  交流電源部
２  定電流回路
３  第１ＬＥＤ光源部
４  蓄電部
５  電流制限部
５ａ  電流制限抵抗
６  第２ＬＥＤ光源部
７  点灯制御部
７ａ  赤外線受信手段
７ｂ  切り換え手段
８  リモートコントローラ
１０，１０Ａ  ＬＥＤ照明装置
【図１】
2011119136.tif 000003
【図２】
2011119136.tif 000004
【図３】
2011119136.tif 000005
【図４】
2011119136.tif 000006